(57)【要約】商品補充のためのシステムおよび方法は、タグを商品に関連付けるサブスクリプションデバイスと、商品に関連付けられたタグ上のデータを収集するためのタグ追跡デバイスと、商品の使用の変化を監視する管理システムであって、使用パターンを分析して商品がいつ補充、交換、またはアップグレードされるべきかを決定することを含む、管理システムとを備える。【選択図】図１
2018536228.tif 000002
【特許請求の範囲】
【請求項１】
消費者の場所に配送するための方法であって、
対象製品に監視デバイスを適用することと、
前記対象製品の消費を監視することと、
商品補充デバイスによって、前記対象製品の補充、アップグレードまたは交換の必要性を前記監視デバイスから自動的に決定することと、
監視結果に応答して、および予め定められたルールのセットに従って前記対象製品の補充、アップグレードまたは交換を実行することと
を含む、方法。
【請求項２】
前記商品補充デバイスが、補充、アップグレード、または交換の前記必要性を決定することに応答して、需要管理または時間依存型広告の予測パターンを決定することをさらに含む、請求項１に記載の方法。
【請求項３】
前記商品がリコールされるものであるか、または抱き合わせ販売のために利用可能であるかを推奨することをさらに含む、請求項１に記載の方法。
【請求項４】
警告生成器によって、安全のために利用可能な警告をプロセッサ出力から決定することをさらに含む、請求項１に記載の方法。
【請求項５】
領域内のビーコンを介してタグ上のデータをサブスクリプションデバイスによって収集して、消費財がどこに位置するか、およびそれらが使用される頻度を決定することをさらに含む、請求項１に記載の方法。
【請求項６】
製品の有効期限日および保存可能期間のうちの少なくとも１つを含む他のデータが、前記商品補充デバイスによって実行されて、製品消費に伴う補充サイクルおよび将来のアップグレードリリースを改良する、請求項１に記載の方法。
【請求項７】
商品追跡ガイドラインを設定することをさらに含む、請求項１に記載の方法。
【請求項８】
前記使用パターンを分析するために使用される顧客プロファイルを更新することをさらに含む、請求項１に記載の方法。
【請求項９】
電子レシート発行時に購入データを電子的に伝えることができる購入時に、または前記タグをスキャンした結果を受信することにより、前記複数のタグの一タグを前記複数の商品の一商品に関連付けることと、
タグ追跡デバイスによって、前記タグ付けされた商品から、処理のために前記サブスクリプションデバイスに向けられる固有の識別を受信することと
をさらに含む、請求項１に記載の方法。
【請求項１０】
商品補充のためのシステムであって、
タグを商品に関連付けるサブスクリプションデバイスと、
前記商品に関連付けられた前記タグ上のデータを収集するためのタグ追跡デバイスと、
前記商品の使用における変化を監視する分析器であって、使用パターンを分析して前記商品がいつ補充、交換、またはアップグレードされるべきかを決定することを含む、分析器と
を備える、システム。
【請求項１１】
前記プロセッサが、前記商品がリコールされるものであるか、または抱き合わせ販売のために利用可能であるかを推奨する、請求項１０に記載のシステム。
【請求項１２】
抱き合わせ販売プロセッサをさらに備える、請求項１０に記載のシステム。
【請求項１３】
安全のためにどの警告が利用可能であるかを前記プロセッサ出力から決定するための警告生成器をさらに備える、請求項１０に記載のシステム。
【請求項１４】
前記サブスクリプションデバイスが、領域内のビーコンを介してタグ上のデータを収集して、消費財がどこに位置するか、およびそれらが使用される頻度を決定する、請求項１０に記載のシステム。
【請求項１５】
製品の有効期限日および保存可能期間のうちの少なくとも１つを含む他のデータが、前記システムの特殊目的プロセッサによって実行されて、製品消費に伴う補充サイクルおよび将来のアップグレードリリースを改良する、請求項１０に記載のシステム。
【請求項１６】
商品追跡ガイドラインを設定するための追跡プロセッサをさらに備える、請求項１０に記載のシステム。
【請求項１７】
前記使用パターンを分析するために使用される顧客プロファイルを更新するための顧客プロファイル生成器をさらに備える、請求項１０に記載のシステム。
【請求項１８】
前記サブスクリプションデバイスが、電子レシート発行時に購入データを電子的に伝えることができる購入時に、または前記タグをスキャンした結果を受信することにより、複数のタグの一タグを複数の商品の一商品に関連付け、それによって前記タグ追跡デバイスが、前記タグ付けされた商品から、処理のために前記サブスクリプションデバイスに向けられる固有の識別を受信する、請求項１０に記載のシステム。
【請求項１９】
モノのインターネット（ＩｏＴ）に基づくサブスクリプションシステムであって、
商品に関連付けられ、識別子を出力するタグと、
前記識別子および商品使用情報を前記タグから受信するリーダと、
前記商品の使用の変化を監視する管理システムであって、使用パターンを分析して前記商品がいつ補充、交換またはアップグレードされるべきかを決定することを含む、管理システムと
を含む、サブスクリプションシステム。
【請求項２０】
前記管理システムが、前記タグに関連付けられた前記商品の前記補充、交換、またはアップグレードを提供するサブスクリプションプログラムに前記タグを登録する登録モジュールを含み、さらに、
前記タグまたは商品の場所、移動、または使用を監視するタグ追跡デバイスと、
前記タグまたは商品の前記場所、移動、または使用に関して前記タグ追跡デバイスによって受信されたデータを処理するパターン分析器と、
前記パターン分析器の結果に応答して前記商品の量を自動的に発注する発注プロセッサと、
前記パターン分析器または前記発注プロセッサによって使用するためのプロファイル情報を含む顧客プロファイル生成器と
を含む、請求項１９に記載のシステム。
【発明の詳細な説明】
【技術分野】
【０００１】
本概念は、一般に、小売サブスクリプションモデルに関し、より詳細にはモノのインターネット（ＩｏＴ）環境を使用して補充、交換、またはアップグレードを必要とする消費製品が消費者に自動的に配送され得る場合、または新規または追加の消費財が推奨され得る場合を決定することに関する。
【背景技術】
【０００２】
（関連出願の相互参照）
本発明は、全体が本明細書に参照によって含まれる、「モノのインターネット環境における小売サブスクリプション（Ｒｅｔａｉｌ  Ｓｕｂｓｃｒｉｐｔｉｏｎ  ｉｎ  Ｉｎｔｅｒｎｅｔ  ｏｆ  Ｔｈｉｎｇｓ  Ｅｎｖｉｒｏｎｍｅｎｔ）」と題された２０１５年１０月２９日に出願された米国仮特許出願第６２／２４７，８７８号明細書の優先権を主張する。
【０００３】
利便性が消費者にとって重要な現代社会では、サブスクリプションサービスが進化し続けている。これまでの世代では、牛乳配達人によって地元の農場から新鮮な牛乳を毎日直接受け取るなど、いくつかのサブスクリプションサービスを享受していた。現代のサブスクリプションサービスは、コンピュータおよびインターネットの使用を含み、この場合、消費者はワインからカミソリ、今月の本までに及ぶ物品のサブスクリプションをオンライン発注することができ、これらの物品は、工場から消費者の家に発送され得る。
【発明の概要】
【０００４】
１つの態様では、消費者の場所に配送するための方法であって、対象製品に監視デバイスを適用することと、対象製品の消費を監視することと、商品補充デバイスによって、対象製品の補充、アップグレード、または交換の必要性を監視デバイスから自動的に決定することと、監視結果に応答して、および予め定められたルールのセットに従って、対象製品の補充、アップグレードまたは交換を実行することとを含む方法が、提供される。
【０００５】
いくつかの実施形態では、方法は、商品補充デバイスが補充、アップグレード、または交換の必要性を決定することに応答して、需要管理または時間依存型広告の予測パターンを決定することをさらに含む。
【０００６】
いくつかの実施形態では、方法は、商品がリコールされるものであるか、または抱き合わせ販売に利用可能であるかを推奨することをさらに含む。
【０００７】
いくつかの実施形態では、方法は、警告生成器によって、安全のために利用可能な警告をプロセッサ出力から決定することをさらに含む。
【０００８】
いくつかの実施形態では、方法は、領域内のビーコンを介してタグ上のデータをサブスクリプションデバイスによって収集して、消費財がどこに位置するか、およびそれらが使用される頻度を決定することをさらに含む。
【０００９】
いくつかの実施形態では、製品の有効期限日および保存可能期間のうちの少なくとも１つを含む他のデータは、商品補充デバイスによって実行されて、製品消費に伴う補充サイクルおよび将来のアップグレードリリースを改良する。
【００１０】
いくつかの実施形態では、方法は、商品追跡ガイドラインを設定することをさらに含む。
【００１１】
いくつかの実施形態では、方法は、使用パターンを分析するために使用される顧客プロファイルを更新することをさらに含む。
【００１２】
いくつかの実施形態では、方法は、電子レシート発行時に購入データを電子的に伝えることができる購入時に、またはタグをスキャンした結果を受信することにより、複数のタグの一タグを複数の商品の一商品に関連付けることと、タグ追跡デバイスによって、タグ付けされた商品から、処理のためにサブスクリプションデバイスに向けられる固有の識別を受信することとをさらに含む。
【００１３】
別の態様では、商品補充のためのシステムであって、タグを商品に関連付けるサブスクリプションデバイスと、商品に関連付けられたタグ上のデータを収集するためのタグ追跡デバイスと、商品の使用における変化を監視する分析器であって、使用パターンを分析して商品がいつ補充、交換、またはアップグレードされるべきかを決定することを含む、分析器とを備える、システムが提供される。
【００１４】
いくつかの実施形態では、プロセッサは、商品がリコールされるものであるか、または抱き合わせ販売に利用可能であるかを推奨する。
【００１５】
いくつかの実施形態では、システムは、抱き合わせ販売プロセッサをさらに備える。
【００１６】
いくつかの実施形態では、システムは、安全のためにどの警告が利用可能であるかをプロセッサ出力から決定するための警告生成器をさらに備える。
【００１７】
いくつかの実施形態では、サブスクリプションデバイスは、領域内のビーコンを介してタグ上のデータを収集して、消費財がどこに位置するか、およびそれらが使用される頻度を決定する。
【００１８】
いくつかの実施形態では、製品の有効期限日および保存可能期間のうちの少なくとも１つを含む他のデータが、システムの特殊目的プロセッサによって実行されて、製品消費に伴う補充サイクルおよび将来のアップグレードリリースを改良する。
【００１９】
いくつかの実施形態では、システムは、商品追跡ガイドラインを設定するための追跡プロセッサをさらに備える。
【００２０】
いくつかの実施形態では、システムは、使用パターンを分析するために使用される顧客プロファイルを更新するための顧客プロファイル生成器をさらに備える。
【００２１】
いくつかの実施形態では、サブスクリプションデバイスは、電子レシート発行時に購入データを電子的に伝えることができる購入時に、またはタグをスキャンした結果を受信することによって複数のタグの一タグを複数の商品の一商品に関連付け、それによってタグ追跡デバイスは、タグ付けされた商品から、処理のためにサブスクリプションデバイスに向けられる固有の識別を受信する。
【００２２】
別の態様では、モノのインターネット（ＩｏＴ）に基づくサブスクリプションシステムであって、商品に関連付けられ、識別子を出力するタグと、識別子および商品使用情報をタグから受信するリーダと、商品の使用の変化を監視するプロセッサであって、使用パターンを分析して商品がいつ補充、交換またはアップグレードされるべきかを決定することを含む、プロセッサとを含む、モノのインターネット（ＩｏＴ）に基づくサブスクリプションシステムが、提供される。
【００２３】
いくつかの実施形態では、ＩｏＴタグは、バーコード、ブルートゥース（登録商標）、無線周波数（ＲＦ）、赤外線（ＩＲ）、または近距離通信（ＮＦＣ）デバイスを含む。
【００２４】
いくつかの実施形態では、商品使用情報は、商品の移動を含む。
【００２５】
いくつかの実施形態では、管理システムは、タグに関連付けられた商品の補充、交換、またはアップグレードを提供するサブスクリプションプログラムにタグを登録する登録モジュールを含む。
【００２６】
いくつかの実施形態では、管理システムは、タグまたは商品の場所、移動、または使用を監視するタグ追跡デバイスと、タグまたは商品の場所、移動または使用に関してタグ追跡デバイスによって受信されたデータを処理するパターン分析器と、パターン分析器の結果に応答して商品の数量を自動的に発注する発注プロセッサと、パターン分析器または発注プロセッサによって使用するためのプロファイル情報を含む顧客プロファイル生成器とを含む。
【００２７】
いくつかの実施形態では、管理システムは、分析データから、安全警告、マーケティング関連通信、または商品に関連する他の通知を生成する通知生成器を含む。
【００２８】
別の態様によれば、小売サブスクリプションのための方法であって、追跡するために１つ以上の商品にタグを付けることと、タグ付けされた商品からデータを受信するようにリーダを構成することと、リーダをネットワークに接続することと、サブスクリプションサービスに登録することと、１つ以上のガイドラインを設定することとを含む方法が、提供される。
【００２９】
別の態様によれば、モノのインターネット環境において抱き合わせ販売するための方法であって、第１の商品を特定することと、第２の商品を特定することと、第２の商品が第１の商品を強化するかを決定することと、顧客に第２の商品について通知することとを含む方法が、提供される。
【００３０】
上記およびさらなる利点は、添付の図と併せて以下の説明を参照することによって、よりよく理解されてよく、図において、同様の番号は、さまざまな図における同様の構造要素および特徴を示す。図面は必ずしも縮尺通りではなく、概念の原理を説明することに重点が置かれている。
【図面の簡単な説明】
【００３１】
【図１】実施形態を実施することができる環境の構成要素モデルの図である。
【図２】いくつかの実施形態による、小売サブスクリプション管理システム（ＲＴＭＳ）のブロック図である。
【図３】いくつかの実施形態による、サブスクリプションサービスのためのＩｏＴ環境を構成するための方法のフローチャートである。
【図４】いくつかの実施形態による、ＩｏＴ環境において小売サブスクリプションサービスを提供するための方法のフローチャートである。
【図５】いくつかの実施形態による、ＩｏＴ環境における抱き合わせ販売のための方法のフローチャートである。
【発明を実施するための形態】
【００３２】
現代社会では、一般的な買い物客にとって利便性が重要である。他の収入機会を考慮しつつ、現代の消費者の進化するニーズに対応するために、多くの小売業者は、インターネットを介して確立され得るサブスクリプションサービスを提供することを望むことがあり、この場合配送は、消費者の家庭、オフィス、または他の所望の場所に直接行われ得る。しかし、買い物客は、それにも関わらず、詰め替え、交換、またはアップグレードが必要かどうかの理解または知識なしに、小売業者のウェブサイト上で製品を発注し、サブスクリプションオプションを設定する。
【００３３】
いくつかの実施形態によるシステムおよび方法は、消費財を、インターネットなどのネットワークを介して特殊目的の電子デバイスによって遠隔で監視、制御、および／または管理することを可能にする（モノのインターネット（Ｉｎｔｅｒｎｅｔ  ｏｆ  Ｔｈｉｎｇｓ））ＩｏＴモデルの適用を含む。消費者は、商品が補充、アップグレード、または交換されるべきどうかに関して、自動サブスクリプションサービスを制御する。消費財は、加入者の家庭、会社、または他の所望の場所に位置することができ、交換、補充、またはアップグレードを必要とし得り、たとえば、ミルク、肉または野菜などの生鮮食品、またはかみそり刃、家庭用器具、トイレットペーパー、またはプリンタのカートリッジなどの日用小売商品などである。付属機能は、関連商品のサブスクリプションまたは購入に基づく他の商品のマーケティング、またはサブスクリプションサービス下にある商品に関して所定の閾値に達したときに警告を提供するなどのサービスを含むことができる。関連する特徴は、需要管理または時間依存型広告の予測パターンを提供することを含むことができる。
【００３４】
前述を達成するために、いくつかの実施形態によるシステムおよび方法は、小売商品に取り付けられた多数の能動的または受動的タグを使用し、これらのタグは、対応する小売商品についての、使用パターン、移動、デバイス状態またはアクティビティなどの実質的なリアルタイム情報を提供するように構築され配置され得る。タグは、消費財の場所および移動を中継して、消費者の家に置かれたタグリーダによって推定された使用を区別することができる。したがって、タグは、リーダによって追跡されて、指定されたタグを備えた指定された商品の場所または移動をユーザが追跡することを可能にすることができる。たとえば、タグリーダは、食品のタグを読み取るために冷蔵庫、または衣服のタグを読み取るために洗濯機、または衣服のタグを読み取るためにクローゼット内、または工具箱および／またはこの箱内の工具を読み取るために工具箱スペースに置かれ得る。
【００３５】
ＩｏＴ補充または交換のガイドラインが、製造業者と消費者との間のチェーン内の小売店の必要性を取り除くことができるサブスクリプションサービスによって設定され得る。システムおよび方法は、データ収集、データ通信、データ分析、または商品の追跡、またはそれらの組み合わせを実行して、タグが取り付けられた物品の購入または自動補充、交換、アップグレード、リコールの予測を改良することができ、それにより、推奨または自動アクションを実行することができる。たとえば、システムは、収集されたデータを介してパターンを分析して、商品がいつ自動的に補充されるべきかを予測することができる。また、ＩｏＴ環境は、抱き合わせ販売または広告目的の関連商品を決定することもできる。また、選択された商品の安全警告が、製品にタグを付けて集められた消費者データに基づいて、電子レシーバを使用して製品の消費、消耗、期限切れ、または磨耗の速度を監視することで確立されて、商品のアップグレード、補充、または交換が必要とされるかどうかを決定することができる。
【００３６】
したがって、本発明の概念の実施形態は、消費者が物品、または物品に関する詰め替え、アップグレードなどを得るために小売店まで出かけていく従来のモデルの代わりに、小売店が消費財を消費者の家または会社に直接的に提供するパラダイムシフトに適合することができる。
【００３７】
いくつかの実施形態では、システムは、商品が場所内のどこにあるか、およびこれらが使用される、または別の場所に移動されるときに関して、ビーコン、たとえばＲＦＩＤタグおよびリーダ、たとえばＲＦＩＤリーダを使用して、ＩｏＴモデルを介して家庭から集められたデータを使用する。たとえば、ユーザは、歯ブラシをピックアップして戻して、歯ブラシの使用を示唆することができ、歯磨き粉のチューブのサービングから、システムは、どのくらいの歯磨き粉が残っているのか、いつ詰め替えるべきかを推定することができる。別の例では、システムは洗濯機に入る衣服を監視することができ、この情報から、衣類の各品に必要とされる交換の予測耐久性を決定することができる。
【００３８】
図１は、実施形態を実施することができる環境の構成要素モデルである。
【００３９】
顧客１５が常駐し、操作し、または他の方法で移動するユーザ環境は、１つ以上の商品２１が補充、交換、アップグレードまたは他の変更を必要とし得る施設を含むことができる。ユーザ環境１８は、家庭、会社、または他の場所であってよい。他の実施形態では、ユーザ環境１８は、フィールド、駐車場などの開けた領域を含むことができる。商品２１は、それぞれ、商品２１についてのデータを収集する識別子タグ２２を含むことができる。たとえば、識別子タグ２２が取り付けられ得る商品２１は、店舗製品などの物理的な消費財であってよい。タグ２２は、商品２１の製造または配送時に、または商品２１を顧客１５に提供する小売業者によって提供されてよい。いくつかの実施形態では、タグは、顧客１５、たとえば、特定の商品を追跡することを望む顧客によって消費財２１に直接提供されてよい。識別子タグ２２は、これが関連付けられている商品２１についての固有の識別および情報を含むことができる。タグ２２は、この情報を記憶し処理するための回路などの電子デバイスを含むことができる。いくつかの実施形態では、タグ２２と商品との間の関連付けを電子チェックアウトにおいて行うことができる。いくつかの実施形態では、タグ２２は知られておらず、すなわち商品に関連付けられてないことがあり、それでもリーダ１２によって識別され得る。ここでは、ＲＴＭＳ１０は、関連する商品２１が存在しないことを示すことができ、それによってユーザ１５は、タグ２２が実際に特定の商品２１に関連付けられていることをＲＴＭＳ１０に通知することができる。ＲＴＭＳ１０は、たとえば、ユーザの携帯電子デバイス１７に表示された電子フォーマットで質問を提供することができ、その結果、応答されたときに、タグ２２と商品２１との関連付けが生じる。
【００４０】
いくつかの実施形態では、スキャニングデバイス、たとえば電子デバイス１７上のＱＲコード（登録商標）リーダ、または機器２３上のタグリーダ１２を使用して、タグ２２からＱＲコード（登録商標）等の初期スキャンを実行することができる。ＱＲコード（登録商標）は、スマートフォンまたは他のコンピュータのような電子デバイス１７によってその後処理され得る、対応する商品に関する情報、たとえば商品の固有の識別および他のデータをリーダに供給することができる。
【００４１】
タグ２２は、ビーコンまたは他の信号をリーダ１２に送信するためのアンテナを含むことができる。タグ２２は、消費財２１に対する消費、使用、場所、移動、および／または他の変化を感知し監視するように構築され配置され得る。たとえば、タグ２２を水フィルタ内に配置し、水フィルタに残っている水量に関するデータを収集することができる。このデータを使用して、水フィルタがいつ空またはほぼ空になり、詰め替えを必要するかを決定することができる。別の例では、タグ２２は、コンピュータ、テレビセット、または他の電子デバイスの使用量を感知して監視することができる。このデータを使用して、対象商品の耐用年数を予測し、デバイスがその使用量に基づいてアップグレードまたは交換を必要とするかどうかを確立することができる。タグ２２は、無線周波数識別（ＲＦＩＤ）などを使用して通信することができる。ＩｏＴ商品２１は、バーコード、ブルートゥース（登録商標）、無線周波数（ＲＦ）、ＲＦＩＤ、赤外線（ＩＲ）、近距離通信（ＮＦＣ）、またはその識別子および属性を１つ以上のタグリーダ１２に提供することができる任意の他の適切なデバイスおよび／または短距離インターフェース上で照会されたときにタグ場所を追跡するビーコンデバイスとしてタグ付けされ得る。
【００４２】
１つ以上のタグリーダ１２は、タグデータを受信するためにタグ２２と通信することができる。たとえば、タグ２２は、タグ２２が取り付けられた商品２１の固有の識別を含むビーコンまたは他の信号を発することができる。タグリーダ１２は、たとえば、タグ２２から出力されるＲＦＩＤ信号などを読み取るための、地理的領域、ＷｉＦｉ（登録商標）ネットワークなどのユーザ環境１８を定義する電子バウンダリの一部であってよく、または補完することができる。１つ以上のタグリーダ１２は、家庭、会社、ジム、自動車などのユーザ環境１８、または商品を追跡することができる任意の場所に配置され得る。リーダ１２は、電波または他の周波数信号を用いてタグ２２を読み取ることができる。いくつかの実施形態では、タグリーダ１２によって出力されたビーコン信号は、タグリーダ１２と通信するタグ２２を付勢することができる。タグ２２がリーダ１２に近づくにつれて、タグ２２はより強い信号を発することができ、商品２１が位置している場所およびそれらがどのように移動されるかについてその場所を三角測量することができる。スキャナ、ビーコン、リーダなどは、商品２１、たとえば優先の追跡商品がリアルタイムで追跡されることを可能にするように作動することができる。
【００４３】
タグ２２は、タグ２２が取り付けられた物品２１についての使用および移動情報を決定するために使用され得る。タグリーダ１２は、たとえば、タグ識別子情報、使用または移動データなどの、タグ２２から受信されたデータを、たとえばインターネットなどの電子ネットワークを介して小売サブスクリプション管理システム（ＲＴＭＳ）１０に転送することができる。このデータを使用して、商品がいつ自動的に補充、交換、またはアップグレードされるべきかを予測することができる。
【００４４】
タグ２２、タグリーダ１２、およびＲＴＭＳ１０の組み合わせは、ＩｏＴ環境の少なくとも一部を形成することができる。上述したように、タグ２２は商品２１を特定し、リーダ１２を介して商品識別子をＲＴＭＳ１０に出力する。リーダ１２はまた、対応するタグ２２と通信することによって追跡された商品２１の移動を検出し、移動データをインターネットを介してＲＴＭＳ１０に伝えることもできる。
【００４５】
ＲＴＭＳ１０は、たとえば、タグリーダ１２を介してＩｏＴデータを受信することができる。ＩｏＴデータは、リーダ１２によって受信されるタグ付けされた商品２１の固有の識別を含むことができる。たとえば、衣服がタグ付けされ、クローゼットに置かれ得ることは、衣類が新規であり、最近購入され、消費者の家、たとえばクローゼットまたはビューロー内に保管されることを示すことができる。システムは、たとえばクローゼットに掛けられるか、または洗濯機に置かれるかで服の場所を区別することができる。後者の場合、ＩｏＴデータは、服が使用されたことを確立することができる。衣服が期限切れになると予測されるとき、システムは、製造業者からこれらのタイプの衣類に関して収集された事前データに基づいて使用回数を予測することができる。製造者が物品の耐久性に関して一定の閾値を設定した場合、新たな衣類のセットが自動的に発注され得る。
【００４６】
ＲＴＭＳ１０は、システム１０がどのタグ２２がどの商品２１にあるかが分かるように、タグ識別子および商品識別子を含むレコードのセットを記憶することができる。こうして、ＲＴＭＳ１０は、タグ２２を消費財２１に関連付ける。この関連付けは、電子レシート発行時に購入データを電子的に伝えることができる購入時に形成または確立され得る。別の例では、関連付けは、顧客１５がＱＲコード（登録商標）をスキャンし、タグレシーバがタグ付けされた商品２１から固有ＩＤをピックアップすることによって設定され得る。ＲＴＭＳ１０は、この受信されたデータから使用または運動パターンを分析して、物品２１が消費され、減少し、期限切れになり、磨耗し、または別の形で変更されたこと、および／またはアップグレード、補充または交換を必要とすることを決定することができる。システム１０は、要求されたアップグレード、補充、または交換をユーザ環境１８に提供することができるソース１６と通信することによって、アップグレード、補充、または交換が自動的に行われることを確実にすることができる。
【００４７】
いくつかの実施形態では、商品２１の使用を強化または補完する他の商品が利用可能になり得る。他の商品の例は、たとえば、分析、マーケティングデータ、またはＰＯＳデータを使用して決定される、他の顧客によって購入されることが知られているアタッチメント、異なる風味、または関連製品を含むことができる。ＲＴＭＳ１０は、このデータを提供するウェブサイト、データベース、および／または他の電子デバイスと通信し、関連する商品を検索し、このデータから、他の製品がユーザ１５にとって興味があるものになり得るかどうかを決定することができる。ＲＴＭＳ１０は、この収集されたデータを使用して、ユーザ１５への推奨、たとえばユーザ１５へのマーケティング、広告、販売促進などを提供することによって他の商品を抱き合わせ販売し、どの商品が抱き合わせ販売に利用可能であるかを推奨することができる。たとえば、購入された商品は、タグ番号１２３４の牛乳であってよい。その数字が牛乳に関連付けられ、スマート冷蔵庫でリーダ１２によってピックアップされると、システムは、クッキーまたはチョコレートシロップなど、牛乳に付随する商品を確認することができる。時間感度は、牛乳消費量を中心にしており、詰め替え、補充、またはアップグレードが必要な製品に関連する適切な広告を表示する。したがって、ＲＴＭＳ１０は、さまざまな基準および目的に従って、商品２１についてのリアルタイムの知識に基づいて、顧客１５に関連または有用になり得る特定のアクション、イベント、製品、サービス、または他の商品を積極的に推奨することができる。
【００４８】
他の実施形態では、ＲＴＭＳは、ユーザ１５、より具体的には、スマートフォンまたはラップトップコンピュータなどのコンピュータ電子デバイスによって受信され得る商品安全警告を生成することができる。たとえば、タグ２２は、安全関連の問題を生じさせ得る、タグ２２に取り付けられた対応する商品２１が減少し、期限切れになり、または磨耗する速度を監視することができる。たとえば、煙感知器に取り付けられたタグ２２は、煙感知器バッテリの交換が必要であると決定し、この情報をＲＴＭＳ１０に送信することができ、ＲＴＭＳ１０は、煙感知器バッテリを交換する必要性に関して、または監視された使用速度の結果などの他の理由で警告を生成することができる。
【００４９】
図２は、いくつかの実施形態による、ＲＴＭＳ１０のブロック図である。ＲＴＭＳ１０は、図１に関して図示されかつ説明された環境において実施され得る。
【００５０】
ＲＴＭＳ１０は、登録モジュール３２と、タグ追跡デバイス３４と、発注プロセッサ３６と、顧客プロファイル生成器３８と、パターン分析器４０と、データベース４２と、通知生成器４４とを含むことができる。ＲＴＭＳ１０のこれらの要素のいくつかまたはすべては、同じコンピュータハードウェアプラットフォーム下に存在してよい。他の実施形態では、これらの要素は、２つ以上の異なるコンピュータハードウェアプラットフォーム上に位置することができ、たとえば電子的にデータを交換する有線ネットワークまたは無線ネットワークなどの通信ネットワークを介して互いにおよび／またはＲＴＭＳ１０の他の要素と通信することができる。
【００５１】
登録モジュール３２は、タグ２２がユーザ環境１８で商品２１にそれぞれ関連付けられるように、複数のタグ２２をサブスクリプションログラムに登録する。ユーザ環境１８は、たとえば、本明細書で説明されるタグ付けされたＩｏＴデバイスを含み、これによってサブスクリプションプログラムにしたがって必要なアップグレード、詰め替え、または補充商品を取得できる。これを達成するために、データベース４２は、ユーザ環境１８内のビーコンリーダ１２を介してタグ２２からＲＴＭＳ１０によって受信されたデータを含むレコードのセットを記憶することができ、各レコードは、タグ識別子、商品２１をタグ２２に関連付ける商品識別子、および商品データまたはメタデータ、たとえば、商品２１の移動および／または使用についての履歴データを含む。レコードは、システム１０がタグと商品との間の関連付けを決定し、サブスクリプションサービスの商品関連データを処理できるように構築され、配置される。
【００５２】
本明細書で説明されるように、タグは、特定の商品２１に関連付けられた固有の識別を有する。一部の商品２１は、製品のデータベース内の他の製品に関連付けられ得る。有効期限情報およびアップグレードも維持され、それによって、商品２１に関して、これがいつアップグレードされる必要があるか、およびどの他の商品２１がこの商品２１に対応し得るかの決定を確立する。また、商品２１内にあるサービングの量に関する決定を行うことができ、それにより、システムは、商品２１をいつ詰め替えまたは補充するかを決定することができる。商品２１が詰め替えを受け取るように構築されている場合、詰め替えが提供される。商品２１全体が補充される必要がある場合、商品補充が提供される。商品２１が消耗または他の理由により交換が必要な構成要素を有する場合、新しい部品を提供することができる。たとえば、商品２１は、詰め替えを必要とするとタグ２２を介して決定されるシャンプーディスペンサであってもよい。別の例では、そのバッグの交換を必要とするために真空が決定され得る。
【００５３】
したがって、タグ追跡デバイス３４は、ユーザ環境１８および／またはリーダ１２において商品２１に関連付けられたタグ２２と通信することによって、商品の場所、移動、使用などを監視する。タグ追跡デバイス３４は、商品２１に関する収集データをデータベース４２または他のデータ記憶デバイスに記憶することができる。
【００５４】
パターン分析器４０は、タグ追跡デバイス３４によって受信されたデータを、商品２１の使用パターンまたは移動パターンを分析するために処理することができる。分析データは、商品２１がいつ補充、アップグレード、または交換されるべきかを予測するために使用され得る。分析データは、商品２１がリコールされるものであるか、どの商品が抱き合わせ販売に利用可能であるか、および／またはどの警告が安全のために必要とされるかを推奨するために使用され得る。リコールが行われるとき、製造業者は消費者コンピュータおよび／またはＲＴＭＳ１０、または他の所定の宛先にデータを電子的に送信する。次いで、ＲＴＭＳ１０は、製品に関する情報、たとえば製品の販売担当者を検索することができる。ＲＴＭＳ１０は、たとえば、製品を販売した者に関して販売店（ＰＯＳ）データベースをチェックすることによって、リコールされた商品の交換を自動的に要求することができる。ここでは、顧客１５は、追跡を行うためのプログラムのために、購入した商品、販売担当者が誰であるが、どこが容易であるかを登録することができる。  
【００５５】
通知生成器４４は、分析データから、安全警告、製品広告などのマーケティング関連通信、またはユーザ環境１８内の商品２１に関連する他の通知を生成することができる。
【００５６】
図３は、いくつかの実施形態による、サブスクリプションサービスのためのＩｏＴ環境を構成するための方法１００のフローチャートである。方法１００の一部またはすべては、図１および図２のＲＴＭＳ１０および／または図１に示される環境の他の要素において実行することができる。方法１００は、図１および図２のＲＴＭＳ１０のメモリデバイス、および／または図１に示される環境の他の要素内に記憶され、図１および図２のＲＴＭＳ１０のハードウェアプロセッサ、および／または図１に示される環境の他の要素によって実行される命令によって管理され得る。
【００５７】
ブロック１０２において、商品、たとえば物品２１をタグ２２に結合し、消費者に販売することができ、または別の形で消費者によって取得することができる。タグ２２は、製造時に、たとえば販売用の商品２１を提供する小売店の代表者によって、または顧客１５によって商品２１に関連付けられ得る。タグ２２は、電子通信信号をビーコンリーダ１２と交換し、タグ２２を互いに区別する固有の識別データを含むように構築され、配置される。本明細書で説明されるように、各タグ２２は、タグ２２がそれぞれ関連付けられた商品２１に関するデータ、メタデータなどを含むことができ、放射時に固有の識別を送信することができる。特に、タグ２２は固有の識別子を有し、電子レシート発行時に購入データを電子的に伝えることができる購入時に関連付けを形成するか、または確立することができる。別の例では、関連付けは、顧客１５がＱＲコード（登録商標）をスキャンし、タグレシーバがタグ付された商品２１から固有の識別子をピックアップすることによって設定され得る。
【００５８】
ブロック１０４において、タグリーダ１２は、タグ２２と通信するように構成される。ビーコンリーダ１２は、１つ以上の異なるビーコンを含むことができ、たとえば、家庭、オフィス、自動車などの商品２１近くの任意の場所、または商品２１を追跡することができる任意の場所に配置され得る。リーダ１２は、追跡されているものと関連付けられるように構成される。たとえば、洗濯機のリーダは衣服の投入を追跡する。洗濯機への衣服の投入は、石鹸の使用および摩耗を示す。したがって、タグリーダ１２は、タグ２２から追跡データを受信して、タグ２２に対応する商品２１に関する使用関連情報および／または移動を決定することができる。
【００５９】
ブロック１０６において、ビーコンリーダ１２は通信ネットワーク、たとえばインターネットに接続することができる。そうするとき、ビーコンリーダ１２は、タグ２２から受信したデータをＲＴＭＳ１０および／または受信データを処理することができる他のシステムに伝えることができる。
【００６０】
ブロック１０８において、タグ２２は、たとえば、消費財２１に対する自動交換、補充、またはアップグレードサービスのためのサブスクリプションサービスに登録される。各商品２１について、ＲＴＭＳ１０は、商品２１が詰め替え、補充、交換、またはアップグレードされるべきかどうかに関する推奨を設定する。ユーザはこの設定を無視することができる。この無視は、詰め替えやアップグレードの代わりに常に交換を望む場合に当てはまり得る。サブスクリプションサービスは、たとえば、本明細書で説明されるタグ付けされたＩｏＴデバイスを含み、これによってサブスクリプションサービスにしたがって必要なアップグレード、詰め替え、または補充商品を取得することができる。サブスクリプションサービスに登録するとき、タグ２２を対応する商品２１に関連付けることができる。
【００６１】
タグ２２と商品２１との間の関連付けは、購入時、小売業者がタグ２２を商品２１に割り当てるときに行われ得る。この関連付けを、たとえば、販売システムまたは他の小売電子デバイスの時点で作成する際、タグ２２が関連付けられる製品情報は、有効期限、購入日、保証期間などの情報であってよい。他の実施形態では、顧客１５が、タグ２２を商品２１に関連付けて、たとえばタグが最初に読み取られたときにユーザによって設定することができる。タグリーダ１２は、タグ２１をシステム１０に伝えることができ、システム１０は、これに応答して、情報の認証または確認のためにユーザのインターフェースに返信することができる。
【００６２】
ブロック１１０において、１つ以上のガイドラインが設定される。いくつかの実施形態では、ガイドラインは、サブスクリプションサービスを通じた商品２２のためのＩＯＴ補充ガイドラインを含む。サービングサイズ、消費速度、毎使用マイル数、スイッチの反転回数などのようなガイドラインが、製造業者によって最初に設定されてよい。これから、使用を追跡し、何かがいつ交換、詰め替え、補修、またはアップグレードされるべきかについて予測閾値を計算することができる。補充ガイドラインは、消費者の要求、たとえば要求の電子提出に基づくものであってよい。いくつかの実施形態では、自動補充は、顧客１５が定期的に使用する商品に対して設定される。いくつかの実施形態では、タグ２２は、移動に基づいて残された残りの製品を登録することができる。たとえば、タグ２２は、１つ以上のリーダ１２１によって読み取られる番号を送信することができる。ＲＴＭＳ１０は、タグ２２が異なるリーダ１２によってピックアップされたときに、タグ２２の移動を登録する。タグ２２の移動は、タグ２２が取り付けられている商品の使用とみなすことができる。たとえば、衣類が洗濯機に投入されたとき、そのタグは、洗濯機のタグリーダによって読み取られて衣類の使用を示し、これは、洗濯洗剤、布柔軟剤などのサービングとなるように計算される。また、これは、磨耗し、交換が必要とされる衣服の着用も示す。タグ付けされた商品２１の移動は、ビーコンリーダ１２とタグ２２との間の三角測量によって追跡することができる。
【００６３】
タグ２２は、対応する商品２１と共に何度も移動し得る。いくつかの実施形態では、所定の閾値数の移動が確立されてよく、タグ追跡デバイス３４またはパターン分析器４０において構成され記憶され得る。ここで、発注プロセッサ３６は、パターン分析器４０が商品の実際の移動回数が閾値以上であることを確立したとき、たとえば補充のために物品２１の量を自動的に発注することができる。同様に、パターン分析器４０は、たとえば磨耗および破れ、耐用年数などによる商品２１の耐用年数の終わりを推定するとき、予測消費または故障前決定分析において商品２１の使用を算出することができる。通知生成器４４は、ユーザ１５に送信することができる発注プレビューを生成することができる。これは、商品２２が移動するが使用されない場合に自動的に発注されないことを確実にすることができる。
【００６４】
別のガイドラインは、商品追跡ガイドラインに関連することができる。タグ付けされた商品２１は、ビーコンリーダ１２を介してタグ信号によって追跡することができ、それにより、タグ２２はビーコンリーダ１２と通信状態にある。タグ２２がビーコンリーダ１２の近く、たとえば、通信交換を行うことができるようにビーコンリーダ１２の十分近くになると、ビーコンリーダ１２は、タグ２２が、ビーコンリーダ１２がタグ２２との通信を確立する地点にある場所および時間を登録することができる。ここで、ビーコンリーダ１２と通信しているインターネットまたは他のネットワークを介してタグデータをＲＴＭＳ１０に出力することができ、ここでデータをデータベース４２に記憶することができる。ＲＴＭＳ１０がこのデータを受信すると、ＲＴＭＳ１０は、タグ２２が所定の閾値で、たとえばビーコンリーダ１２から所定のフィート数で外側に移動する場合に顧客１５に通知することができる。顧客１５は、たとえば、ユーザのスマートフォンまたはパーソナルコンピュータにおいて、個々の商品、商品２１に関連するアクティビティなどを追跡するアプリケーションにログインすることができる。タグ２２の特定の場所は、たとえば、１つ以上のリーダ１２を使用してタグの場所を三角測量して商品２１が閾値領域内を移動する頻度を見ることによって決定され得る。いくつかの実施形態では、顧客１５は、たとえば、タグ付けされた商品が通過したビーコンリーダ１２を確立することによって、商品２１の最後の既知の場所を、ＲＴＭＳ１０から、すなわち、ユーザインターフェース上のデータを見ることによって決定することができる。
【００６５】
別のガイドラインは、アップグレードガイドラインに関連することができる。タグ付けされた商品２１は、アップグレードガイドラインを確立することができる。顧客１５は、たとえばＲＴＭＳ１０において自動アップグレード機能を選択することができる。自動アップグレード機能は、顧客１５に利用可能性を通知することを避け、アップグレードされた商品を顧客１５に直接送ることができる。いくつかの実施形態では、顧客１５は、たとえばＲＴＭＳ１０によって生成され、スマートフォンまたは他の電子デバイスに出力される商品アップグレードの通知を受信するように選択することができる。ここでは、アップグレードが利用可能であるとき、ＲＴＭＳ１０は、顧客１５への通知を生成することができる。顧客１５は、ＲＴＭＳ１０を、たとえばＲＴＭＳ１０と直接通信するユーザインターフェースを介してアップグレードを無視するか、または別の形で広告、割り引き、または別の形で顧客１５に提供される他のマーケティング情報に関する通知の受信を停止するように構成することができる。顧客１５は、商品２１のアップグレードの受け取りを望むかどうかおよびいつ受け取るかを選択する場合に柔軟性を有することができる。
【００６６】
別のガイドラインは、顧客１５によって構成され得るリコールガイドラインに関連することができる。リコールガイドラインは、商品２１が、リコールが必要であるという決定に応答してシャットダウンされ得る電気製品である場合の設定を含むことができる。製品のリコールは、欠陥が特定されたときに製造業者によって設定され得る。製造業者は小売業者に通知する。小売業者は、店頭（ｐｏｉｎｔ  ｏｆ  ｓａｌｅ）（ＰＯＳ）データベースなどを検索して買い手を特定し、買い手に通知することができる。ここでは、ＲＴＭＳ１０は、そのようなデータを受信して処理することによって、リコールに特定された製品の自動交換を自動的に行うことができる。これはＩｏＴとの接続を確立することができる。
【００６７】
リコールされたという理由で顧客１５が特定の製品を使用してはいけないことを顧客１５に通知するために、リコール関連付けが確立され得る。ＲＴＭＳ１０は、顧客１５がリコールされた製品を使用していることを顧客１５に注意を与え警告し、および／または交換製品を推奨することができる。顧客は、代わりに交換製品を使用しなければならない。ＲＴＭＳ１０は、警告を処理することに応答して、交換商品を自動的に発注することができる。いくつかの実施形態では、ＲＭＴＳ１０は、顧客１５に問題を警告し、顧客に補充するか無視するかを決定させることができる。顧客１５は、たとえば、ＲＴＭＳ１０と通信しているユーザインターフェースにおいて、すべての警告を無視するように選択することができる。顧客１５は、ＲＴＭＳ１０からのリコール通知の受信を停止することができる。たとえば、顧客１５は、大いに望ましくないリコールされた製品を使用するリスクを受け入れることができる。ここでは、顧客１５は、スマートフォンなどの電子デバイス１７からモバイルまたはウェブアプリケーションにアクセスし、これらの警告を無視することによって責任を負うことができる。
【００６８】
図４は、いくつかの実施形態による、ＩｏＴ環境において小売サブスクリプションサービスを提供するための方法のフローチャートである。方法２００の一部またはすべては、図１および図２のＲＴＭＳ１０および／または図１に示される環境の他の要素において実行することができる。方法２００は、図１および図２のＲＴＭＳ１０のメモリデバイス、および／または図１に示される環境の他の要素に記憶され、図１および図２のＲＴＭＳ１０のハードウェアプロセッサ、および／または図１に示される環境の他の要素によって実行される命令によって管理され得る。
【００６９】
ブロック２０２において、消費者商品２１に関連付けられたタグ２２から商品データが受信される。商品データは、商品の残量および／または消費量などの使用データを含むことができる。たとえば、商品２１は食物を含んでよく、データは残っている食品の量を含むことができる。別の例では、商品２１はバッテリであってよく、データはバッテリ寿命の量を含むことができる。移動データ、商品２１の場所、または商品２１に関連するアクティビティなどの、タグ２２によって収集され得る他のデータが、ＲＴＭＳ１０によって受信され得る。他の商品データは、移動データを含むことができ、この場合、タグ２２の移動は、ＲＭＴＳ１０によってビーコンリーダ１２を介して取り込まれ、商品２１の使用を確立することができる。
【００７０】
ブロック２０４において、商品２１に関連する他の商品について検索を実行することができる。ＲＭＴＳ１０は、タグ付けされた商品２１に関連する他の商品についてのデータを収集することができる。データは、データベース、公的および私的データリポジトリ、ウェブサイト、モバイルデバイスアプリケーションなどを含むが、これに限定されない任意の数のソースから収集され得る。この他のデータは、データベース４２からの顧客１５についての情報を処理する顧客プロファイル生成器３８から決定されてよく、商品使用パターンを分析するために使用される顧客プロファイルを更新することができる。たとえば、別の商品は、タグ付けされたＩｏＴデバイスによって補完または機能する商品であってよい。別の例では、顧客プロファイル生成器３８は、顧客１５が特定の風味の歯磨き粉を購入することを確立することができる。発注プロセッサ３６は、タグ付けされた現在の歯磨き粉の供給が枯渇したと決定されたか、または別の形で補充を必要とすると決定されたときに、この風味の歯磨き粉を発注することができる。
【００７１】
ブロック２０６において、商品２１の使用または移動の決定に基づいてアクションを実行することができる。たとえば、ブロック２０４から決定された関連商品が、自動的に発注されてよい。別のアクションは、商品補充、交換、またはアップグレードが推奨または必要とされることをスマートフォンまたは顧客１５の他の電子デバイスに伝えるＲＴＭＳ１０を含むことができる。ここでは、ユーザは、たとえば、スマートフォンまたは他の電子デバイスからＲＴＭＳ１０に応答を電子的に提出することによって、そのような推奨を拒否するオプションを有することができる。
【００７２】
図５は、いくつかの実施形態による、ＩｏＴ環境における抱き合わせ販売のための方法３００のフローチャートである。方法３００の一部またはすべては、図１および図２のＲＴＭＳ１０および／または図１に示される環境の他の要素において実行することができる。方法３００は、図１および図２のＲＴＭＳ１０のメモリデバイス、および／または図１に示される環境の他の要素内に記憶され、図１および図２のＲＴＭＳ１０のハードウェアプロセッサ、および／または図１に示される環境の他の要素によって実行される命令によって管理され得る。
【００７３】
ブロック３０２において、第１の商品が特定される。第１の商品は、たとえば、本明細書で説明されるタグを含む。第１の商品とタグとの間の関連付けが確立されるので、タグは商品についての使用、移動などのデータを集めることができる。
【００７４】
ブロック３０４において、第２の商品が特定される。たとえば、タグ追跡デバイス３４は、タグ付けされた第２の商品に関するデータを収集することができる。他の実施形態では、第２の商品はタグを含まなくてもよい。顧客プロファイル生成器３８は、第２の商品が第１の商品に関連するかどうかを確立するプロファイル情報を含むことができる。他の実施形態では、パターン分析器４０は、たとえば、購入履歴などを分析することによって、第２の商品が第１の商品に関連するかどうかを他の情報ソースから確立することができる。
【００７５】
ブロック３０６において、ＲＴＭＳ１０は、第２の商品が第１の商品を強化するか、または別の形で補完するかを決定することができる。たとえば、第１の商品は牛乳のボトルであってよく、第２の商品は牛乳に添加され得るチョコレートシロップであってよい。顧客の自宅での牛乳の供給がほぼ空であるという決定が行われ得る。ここでは、ＲＴＭＳ１０は、顧客１５がチョコレート牛乳を楽しんでおり、チョコレートシロップの事前購入を行ったことを確立することもできる。したがって、ブロック３０８において、顧客１５に、次回の牛乳の補充と共にチョコレートシロップを購入する機会、またはチョコレートシロップに関連するクーポン、広告、販促を受信する機会を通知することができる。
【００７６】
いくつかの実施形態では、顧客は、たとえばＩｏＴサブスクリプションサービスの一部として第２の商品を自動的に購入することができる。他の実施形態では、顧客は、第２の商品を受け入れるかどうかの選択肢を有することができる。他の実施形態では、顧客は、たとえば、ＲＴＭＳ１０と通信しているユーザインターフェースに要求を入力することによって、第２の商品に関する情報を受信しないように選択することができる。
【００７７】
いくつかの実施形態では、ＲＴＭＳ１０は、時間依存型広告技術を提供することができる。ここでは、ＲＴＭＳ１０は、顧客１５が提供されたサービスを使用し製品を購入するときに、顧客１５についてより多く学習する。さらに、第三者のシステムが、小売業者が顧客についてより多く知ることを支援する、顧客に関する人口統計データを提供することができる。たとえば、顧客１５は、ＲＴＭＳ１０によって取り込まれ得る商品２１の補充を含むサービスに加入するときに、ユーザの好みを設定することができる。顧客１５が商品２１を使用すると、ＲＴＭＳ１０は、購入データ、使用頻度などの使用データを集めることができる。
【００７８】
いくつかの実施形態では、小売サブスクリプションサービスに関連する安全性警告が、いくつかの実施形態によって、ＩｏＴ環境において生成され得る。顧客は、ＲＴＭＳ１０を、たとえばスマートフォンまたは他のコンピュータ上のアプリケーションを介して、安全警告を受信するか、または安全警告の受信を停止するように構成することができる。安全警告は、停電、悪天候警告、健康被害などに関連することができる。たとえば、顧客１５は、購入されている製品がナッツを有しており、ユーザをナッツアレルギーの危険性に曝す可能性があるという警告を受信することができる。
【００７９】
いくつかの実施形態では、顧客１５は商品に対する保証を有することができる。保証関連の通知を顧客１５に提供することができ、または顧客は、たとえばコンピュータ上で実行されるアプリケーション上のオプションを選択し、ＲＴＭＳ１０と通信することによって、そのような通知を受信しないことを選ぶことができる。保証購入は自動的に提供されてよく、または顧客１５は保証の保有のオプションを放棄することができる。
【００８０】
当業者には理解されるように、概念は、デバイス、システム、方法、またはコンピュータプログラム製品として具体化され得る。したがって、態様は、完全にハードウェアの実施形態、完全にソフトウェアの実施形態（ファームウェア、常駐ソフトウェア、マイクロコードなどを含む）または本明細書では全体的にすべて「回路」、「モジュール」、または「システム」と称され得るソフトウェアおよびハードウェアの態様を組み合わせた実施形態の形態をとることができる。 さらに、態様は、コンピュータ可読プログラムコードが具体化される１つ以上のコンピュータ可読媒体内で具体化されるコンピュータプログラム製品の形態をとることもできる。
【００８１】
概念の作動を実施するためのコンピュータプログラムコードは、Ｊａｖａ（登録商標）、Ｓｍａｌｌｔａｌｋ、Ｃ＋＋などのオブジェクト指向プログラミング言語および「Ｃ」プログラミング言語または類似のプログラミング言語などの従来の手続き型プログラミング言語を含む、１つ以上のプログラミング言語の任意の組み合わせで記述することができる。プログラムコードは、ユーザのコンピュータ上で全体的に、スタンドアローンのソフトウェアパッケージとしてユーザのコンピュータ上で部分的に、ユーザのコンピュータ上で部分的に、リモートコンピュータ上で部分的に、またはリモートコンピュータまたはサーバ上で完全に実行することができる。後者のシナリオでは、リモートコンピュータは、ローカルエリアネットワーク（ＬＡＮ）またはワイドエリアネットワーク（ＷＡＮ）を含む任意のタイプのネットワークを介してユーザのコンピュータに接続されてよく、または（たとえば、インターネットサービスプロバイダを使用してインターネットを介して）外部コンピュータに接続されてよい。
【００８２】
本明細書では、実施形態による方法、装置（システム）およびコンピュータプログラム消費財のフローチャート図および／またはブロック図を参照して、概念が説明される。フローチャート図および／またはブロック図の各ブロック、およびフローチャート図および／またはブロック図のブロックの組み合わせは、コンピュータプログラム命令によって実施できることが理解されよう。これらのコンピュータプログラム命令は、特殊目的のコンピュータまたは他のプログラマブルデータ処理装置のプロセッサに提供されて、コンピュータまたは他のプログラマブルデータ処理装置のプロセッサを介して実行する命令が、フローチャートおよび／またはブロック図のブロックまたは複数のブロック内で指定された機能／動作を実施するための手段を作成するようなマシンを生み出すことができる。
【００８３】
これらのコンピュータプログラム命令は、コンピュータ、他のプログラマブルデータ処理装置、または他のデバイスを特定の方法で機能させるように仕向けることができるコンピュータ可読媒体に記憶されてもよく、それにより、コンピュータ可読媒体に記憶された命令は、フローチャートおよび／またはブロック図のブロックまたは複数のブロック内で指定された機能／動作を実施する命令を含む製造品を生み出す。
【００８４】
コンピュータプログラム命令はまた、コンピュータ、他のプログラマブルデータ処理装置、クラウドベースのインフラストラクチャアーキテクチャ、または他のデバイス上にロードされて、コンピュータ、他のプログラマブル装置または他のデバイス上で一連の作動ステップを実行させて、コンピュータまたは他のプログラマブル装置上で実行する命令が、フローチャートおよび／またはブロック図のブロックまたは複数のブロック内で指定された機能／動作を実施するためのプロセスを提供するようなコンピュータ実施プロセスを生み出すこともできる。
【００８５】
図のフローチャートおよびブロック図は、さまざまな実施形態による、システム、方法およびコンピュータプログラム消費財の可能な実施のアーキテクチャ、機能、および作動を示す。これに関して、フローチャートまたはブロック図の各ブロックは、指定された論理機能を実施するための１つ以上の実行可能命令を含むモジュール、セグメント、またはコードの一部を表すことができる。また、いくつかの代替的な実施形態では、ブロックに記されている機能は、図に記される順序から外れて行われてよいことにも留意されたい。たとえば、連続して示される２つのブロックは、実際には実質的に同時に実行されてよく、または、関連する機能に応じてブロックが時には逆の順序で実行されてもよい。また、ブロック図および／またはフローチャート図の各ブロック、ならびにブロック図および／またはフローチャート図のブロックの組み合わせは、指定された機能または動作を実行する特殊目的のハードウェアベースのシステムによって、または特殊目的のハードウェアおよびコンピュータ命令の組み合わせによって実施することができることにも留意されたい。
【００８６】
特定の好ましい実施形態を参照して概念を図示し説明してきたが、特許請求の範囲によって規定される精神および範囲から逸脱することなく、形態および詳細のさまざまな変更を加えることができることが、当業者に理解されるはずである。
【図１】
2018536228.tif 000003
【図２】
2018536228.tif 000004
【図３】
2018536228.tif 000005
【図４】
2018536228.tif 000006
【図５】
2018536228.tif 000007
【国際調査報告】
2018536228.tif 000008
2018536228.tif 000009